(57)【要約】【課題】係止手段の耐久性の向上を図ると共に、電子機器ユニットを引き出す際の作業性と安全性が向上された電子機器装置を提供すること。【解決手段】電子機器ユニット２の対向する外壁２ｄに一端部５ａが固定され、軸線方向Ｌに延在し、他端部５ｄが前方側に配置された一対の板ばね５を設け、この板ばね５から円柱状の凸部６を外方に突出させ、収容体３に凸部６を係合可能とする凹部を設けた係止手段１０とし、係合の強度を向上させる。また、係合状態を解除する場合、電子機器ユニット２の重心Ｇ近傍を両手で保持したまま板ばね５の他端部５ｂを外方から押圧するだけでよいので、従前のように、電子機器ユニット２を一度後退させる必要がない。【選択図】図１
2008124074.tif 000002
【特許請求の範囲】
【請求項１】
電子機器ユニットと、前記電子機器ユニットを摺動可能に収容する収容体とを備えた電子機器装置において、
前記収容体に設けられ前記電子機器ユニットの摺動する方向を当該電子機器ユニットの軸線方向に案内する案内手段と、
前記電子機器ユニットの前記案内手段に対応する位置に設けられた被案内手段と、
前記電子機器ユニットを前記収容体内から引き出す際に、前記電子機器ユニットを所定の位置で一時係止させる係止手段とを備え、
前記係止手段は、
前記電子機器ユニットの対向する外壁に一端部が固定されて前記軸線方向に延在し、他端部が前記電子機器ユニットを引き出す際の前方側に配置された一対の板ばねと、
前記板ばねに設けられ外方に突出するブロック状の凸部と、
前記収容体に設けられ前記凸部を係合可能とする凹部とを有することを特徴とする電子機器装置。
【請求項２】
前記案内手段は、前記収容体の対向する内壁に固定された一対の第１の案内レールであり、
前記被案内手段は、前記電子機器ユニットの対向する外壁に固定された一対の第２の案内レールであり、
前記第１の案内レール及び前記第２の案内レールは、コ字状を成し、
前記板ばねは、前記第２の案内レールに沿って配置され、前記第２の案内レールを介して前記外壁に固定され、
前記凹部は、第１の案内レールに形成された係合穴であることを特徴とする請求項１記載の電子機器装置。
【請求項３】
前記所定の位置は、前記電子機器ユニットの重心が前記収容体から外方に配置された位置であり、
前記板ばねの前記他端部は、電子機器ユニット
が係止された状態において、前記収容体から露出され、
前記電子機器ユニットの重心付近を持った際に、前記板ばねの前記他端部をワンタッチ操作することで、前記係止手段による係止が解除されることを特徴とする請求項１又は２記載の電子機器装置。
【請求項４】
前記板ばねは、前記外壁と離間する方向へ屈曲され、前記外壁と離間した位置で前方側へ屈曲された段差部を有することを特徴とする請求項１〜３の何れか一項に記載の電子機器装置。
【請求項５】
前記凸部の前記一端部側には、傾斜面が形成されていることを特徴とする請求項１〜４の何れか一項に記載の電子機器装置。
【請求項６】
前記電子機器ユニットを前記収容体に収容した状態において、前記板ばねの他端部側は、前記収容体に当接され、前記電子機器ユニットは、前記収容体を介して接地されることを特徴とする請求項１〜５の何れか一項に記載の電子機器装置。
【請求項７】
前記電子機器ユニットは、前記収容体に対して取外し可能とされ、内部にハードディスクを備えることを特徴とする請求項１〜６の何れか一項に記載の電子機器装置。
【発明の詳細な説明】
【技術分野】
【０００１】
本発明は、電子機器装置に関する。
【背景技術】
【０００２】
従来、例えば、光ユニットをシェルフ内に収容する光通信装置において、光ユニットの脱落防止用ストッパー構造が知られている。この脱落防止用ストッパ構造は、屈曲形成されたＶ字部を有する板ばねを光ユニットに固定している。そして、板ばねのＶ字部を、シェルフに設けられたストップバーに係止させることで、シェルフからの光ユニットの脱落を防止すると共に、光ユニットの移動を防止して、重心移動による光通信装置の転倒を防止している。
【０００３】
このような脱落防止用ストッパー構造では、光ユニットが係止された状態において、光ユニットを強制的に引き抜いた場合、板ばねが変形、破損してしまい、確実に係止できないことがあった。そのため、板ばねの変形を防止する技術が開示されている（例えば、特許文献１参照）。特許文献１に記載の光ユニットの脱落防止用ストッパ構造では、板ばねのＶ字部における一方の傾斜部にスリットを形成すると共に、ストップバーから突出してシェルフの奥行き方向に延びる爪部を有している。この爪部をスリット内に挿入して、爪部と板ばねとを当接することで、板ばねの上方への弾性変形の防止を図っている。
【特許文献１】特開平６−１３７７３号公報
【発明の開示】
【発明が解決しようとする課題】
【０００４】
しかしながら、上記特許文献１に記載の従来技術では、板ばねのＶ字部を係止させる構造であるため耐久性が不十分であり、長年の使用等により、板ばねのＶ字部が変形し易いという問題があった。また、特許文献１に記載の従来技術では、光ユニットとシェルフとの係止状態と解除するためには、光ユニットをシェルフの奥行き方向へ後退させた後に、板ばね押し上げながら光ユニットを引き出す必要があるため、光ユニットを引き出すための操作が煩雑であった。
【０００５】
本発明は、このような課題を解決するために成されたものであり、係止手段の耐久性の向上を図ると共に、電子機器ユニットを引き出す際の作業性が向上された電子機器装置を提供することを目的とする。
【課題を解決するための手段】
【０００６】
本発明による電子機器装置は、電子機器ユニットと、電子機器ユニットを摺動可能に収容する収容体とを備えた電子機器装置において、収容体に設けられ電子機器ユニットの摺動する方向を当該電子機器ユニットの軸線方向に案内する案内手段と、電子機器ユニットの案内手段に対応する位置に設けられた被案内手段と、電子機器ユニットを収容体内から引き出す際に、電子機器ユニットを所定の位置で一時係止させる係止手段とを備え、係止手段は、電子機器ユニットの対向する外壁に一端部が固定されて軸線方向に延在し、他端部が電子機器ユニットを引き出す際の前方側に配置された一対の板ばねと、板ばねに設けられ外方に突出するブロック状の凸部と、収容体に設けられ凸部を係合可能とする凹部とを有することを特徴としている。
【０００７】
このような電子機器装置によれば、収容体に設けられ電子機器ユニットの摺動する方向を電子機器ユニットの軸線方向に案内する案内手段と、電子機器ユニットの案内手段に対応する位置に設けられた被案内手段とを備え、電子機器ユニットの摺動する方向が軸線方向に拘束されるため、電子機器ユニットの摺動の安定化を図ることができると共に円滑に電子機器ユニットを摺動させることができる。
【０００８】
また、電子機器装置は、電子機器ユニットを収容体内から引き出す際に、電子機器ユニットを所定の位置で一時係止させる係止手段を備えているため、電子機器ユニットを一時的に係止させて、所定の位置で電子機器ユニットを持つことができ、係止状態を解除して、そのまま電子機器ユニットを引き出すことができる。また、係止手段は、電子機器ユニットの対向する外壁に一端部が固定されて軸線方向に延在し、他端部が電子機器ユニットを引き出す際の前方側に配置された一対の板ばねを有している。また、板ばねには外方に突出するブロック状の凸部が設けられ、収容体には凸部を係合可能とする凹部が形成されている。これにより、電子機器ユニットを収容体から引き出す際には、板ばねが外方に広がって、凸部と凹部とを係合させることができる。係合状態を解除する場合には、板ばねを外方から押圧するだけでよいので、従前のように、一度、電子機器ユニットを後退させる必要がなく、電子機器ユニットを引き出す際の作業性を向上させることができる。
【０００９】
また、板ばねには、ブロック状の凸部が設けられているので、従前のようなＶ字部によって構成された凸部に比して強度が向上され、凸部の変形が低減される。その結果、係止手段の耐久性を向上させることができる。
【００１０】
また、上記作用を奏する具体的な構成としては、案内手段は、収容体の対向する内壁に固定された一対の第１の案内レールであり、被案内手段は、電子機器ユニットの対向する外壁に固定された一対の第２の案内レールであり、第１の案内レール及び第２の案内レールは、コ字状を成し、板ばねは、第２の案内レールに沿って配置され、第２の案内レールを介して外壁に固定され、凹部は、第１の案内レールに形成された係合穴である構成があげられる。
【００１１】
また、所定の位置は、電子機器ユニットの重心が収容体から外方に配置された位置であり、板ばねの他端部は、電子機器ユニットが係止された状態において、収容体から露出され、電子機器ユニットの重心付近を持った際に、板ばねの他端部をワンタッチ操作することで、係止手段による係止が解除されることが好ましい。これにより、電子機器ユニットを一時的に係止した状態で、電子機器ユニットの重心が収容体の外方に存在しているので、電子機器ユニットの重心付近を持つことができる。また、電子機器ユニットの重心付近を持った際に、ワンタッチ操作することで、係止状態を解除できるので、電子機器ユニットを持ち直す必要がないため、電子機器ユニットを引き出す際の作業性を一層向上させることができる。電子機器ユニットが重い場合には、特に有効である。
【００１２】
また、板ばねは、外壁と離間する方向へ屈曲され、外壁と離間した位置で前方側へ屈曲された段差部を有することが好ましい。これにより、外壁と板ばねの他端部との間隔を広げることができるので、板ばねを好適に撓ませることができる。
【００１３】
また、凸部の一端部側には、傾斜面が形成されていることが好ましい。これにより、電子機器ユニットの挿入時に、傾斜面が他の部品と接触すると、板ばねが内方に案内されて、凸部が他の部品に引っ掛かることが防止される。従って、電子機器ユニットの挿入を円滑にすることができる。
【００１４】
また、電子機器ユニットを収容体に収容した状態において、板ばねの他端部側は、収容体に当接され、電子機器ユニットは、収容体を介して接地されることが好ましい。これにより、過大電流が電子機器ユニットに流入することを防止することができる。
【００１５】
また、電子機器ユニットは、収容体に対して取外し可能とされ、内部にハードディスクを備えることが好ましい。
【発明の効果】
【００１６】
本発明によれば、係止手段の耐久性の向上を図ると共に、電子機器ユニットを引き出す際の作業性が向上された電子機器装置を提供することができる。
【発明を実施するための最良の形態】
【００１７】
以下、本発明による電子機器ユニットの好適な実施形態について図面を参照しながら説明する。なお、図面の説明において、同一または相当要素には同一の符号を付し、重複する説明は省略する。図１は、本発明の実施形態に係る電子機器装置を示すものであり、電子機器ユニット挿入前の状態を示す斜視図、図２は、図１中の電子機器ユニット及び係止手段を示す分解斜視図、図３は、図１中の電子機器ユニットを示す平面図、図４は、図１中の係止手段を示す右側面図、図５は、電子機器ユニットが所定の位置で係止された状態の電子機器装置を示す斜視図である。
【００１８】
図１に示す電子機器装置１は、例えばハードディスク等の精密重量物を内部に有する電子機器ユニット２と、この電子機器ユニット２を摺動可能に収容する外箱（収容体）３とを備えている。この電子機器装置１は、例えば、高画質の映像データ等を電子機器ユニット２のハードディスクに記憶する記憶装置である。
【００１９】
外箱３の正面には、電子機器ユニット２を挿入するための開口部３aが形成されている。外箱３は、電子機器ユニット２を収容するための収容空間を有している。外箱３の背面側には、例えば映像データを記憶させるための処理回路等を備えた基板が配置されている。電子機器ユニット２を外箱３に装着した状態において、電子機器ユニット２のハードディスクと、外箱３内の基板とは、電気的に接続されている。
【００２０】
また、外箱３は、内ケース及び外ケースを有する二重構造（不図示）とされている。これらの内ケース及び外ケースは、ブッシュゴムを介しボルトナットにより固定されている。これにより、外ケースの振動が内ケースに伝達することが防止され、外部からの衝撃を吸収して、電子機器ユニット２を保護することができる。
【００２１】
外箱３の対向する側壁３ｂの内面（内壁）には、電子機器ユニット２の軸線方向Ｌに延在し、電子機器ユニット２の摺動する方向を案内する一対の固定レール（案内手段、第１の案内レール）４が設置されている。固定レール４は、図１及び図２に示すように、コ字状を成し、軸線方向Ｌに延在するプレート部４ａと、このプレート部４ａの幅方向（図示上下方向）における両端部から屈曲形成された開放端部４ｂとを有している。外箱３の側壁３ｂの内面には、固定レール４を収容するための溝が形成され、固定レール４は、開放端部４ｂが内方を向くように配置されて、溝内に収容されている。なお、固定レール４の材質としては、例えば耐摩耗性に優れたＳＵＳ３０４等のオーステナイト系ステンレス鋼が挙げられる。また、固定レール４の開口部３ａ側の端部４ｃ（図６参照）は、後述する板ばね５の挿入を容易とするための傾斜面を有している。
【００２２】
電子機器ユニット２は箱型を成し、図１〜図３に示すように、電子機器ユニット２の正面２ａに、電子機器ユニット２を外箱３内から引き出す際に利用される把手２ｂが設けられている。また、電子機器ユニット２の正面２ａには、回動操作されるつまみ２ｃが設置されている。このつまみ２ｃを回動操作することで、電子機器ユニット２の下面から係止爪（不図示）を出没させることができる。外箱３の開口部３ａの周縁部の内側には、係止爪が挿入されるスリット３ｃ（図１参照）が形成されている。電子機器ユニット２を外箱３に挿入した状態において、スリット３ｃに係止爪を係止することができる。
【００２３】
また、電子機器ユニット２の対向する側壁２ｄの外面（外壁）には、一対のスライドレール（被案内手段、第２の案内レール）８が設置されている。スライドレール８は、第１の案内レールである固定レール４に対応する位置に配置され、電子機器ユニット２の軸線方向Ｌに延在している。スライドレール８は、コ字状を成し、軸線方向Ｌに延在するプレート部８ａと、このプレート部８ａの幅方向（図示上下方向）における両端部から屈曲形成された開放端部８ｂとを有している。スライドレール８は、開放端部８ｂが外方を向くように配置されている。スライドレール８の開放端部８ｂは、図４に示すように、固定レール４の開放端部４ｂの内側（上下方向における内側）に配置されて、スライドレール８は、固定レール４に沿って摺動する。なお、スライドレール８の材質としては、例えば耐磨耗性に優れたＳＵＳ３０４等のオーステナイト系ステンレス鋼が挙げられる。また、図４では、スライドレール８、後述するストッパー受け穴７及び把持機構９を仮想線で示している。
【００２４】
スライドレール８の後端部（背面側の端部）には、外方に突出する突出部８ｃが形成されている。この突出部８ｃは、外箱３に設置された把持機構９によって上下方向から把持されるくびれ形状を有している。電子機器ユニット２を外箱３に挿入した状態において、突出部８ｃは把持機構９によって把持され、電子機器ユニット２は外箱３に確実に装着される。
【００２５】
ここで、本実施形態の電子機器装置１は、図１〜図４に示すように、電子機器ユニット２を外箱３から引き出す際に、電子機器ユニット２を所定の位置（図５参照）で一時的に係止させる係止手段１０を備えている。この係止手段１０は、電子機器ユニット２の側壁２ｄの外面に設置された一対の板ばね５と、この板ばね５に設けられ外方に突出するストッパー６（凸部）と、このストッパー６を係合可能とするストッパー受け穴（凹部、係合穴）７とを有している。
【００２６】
板ばね５は、例えば防錆性に優れた厚さ約０．５ｍｍのステンレス材によって形成され、板ばね５の一端部（固定部）５ａは、スライドレール８の後端側でプレート部８ａにねじ止めされ、スライドレール８を介して電子機器ユニット２に固定されている。板ばね５は、スライドレール８に沿って延在し、板ばね５の他端部５ｂは、電子機器ユニット２を引き出す際の前方側に配置されている。具体的には、板ばね５は、他端部５ｂ側が電子機器ユニット２の側壁から離間するように、平面視（図３参照）において傾斜して配置されている。なお、図３では、所定の位置で電子機器ユニット２を係止した場合の位置関係を示すため、外箱３を仮想線で示している。また、板ばね５は、一端部５ａの前方側で側壁２ｄと離間する方向へ屈曲され、側壁２ｄと離間した位置で前方側へ屈曲された段差部５ｃを有している。板ばね５の他端部５ｂは、電子機器ユニット２の幅方向（左右方向）へ揺動可能とされている。段差部５ｃは板ばね５の座屈変形による係合外れを防止する効果もある。
【００２７】
また、板ばね５の他端部には、図示上下方向の端部から外方へ屈曲形成された挿入ガイド５ｄが設けられている。この挿入ガイド５ｄは、平面視において、三角形状を成し、前方に向かうにつれて外方へ傾斜する傾斜部を有している。挿入ガイド５ｄは、電子機器ユニット２を挿入する際に、固定レール４のプレート部４ｃと当接して、板ばね５を内方へ案内することができる。また、この挿入ガイド５ｄは、電子機器ユニット２を外箱３内に挿入した際に、固定レール４と当接され、電子機器ユニット２は、外箱３を介して接地される。これにより、過大電流が電子機器ユニット２に流入することが防止されている。また、板ばね５では、上下２箇所に挿入ガイド５ｄが設けられているので、固定レール４に２点接触している。このため、接地アースを確実に確保することができる。
【００２８】
ストッパー６は、側面視（図４参照）において円形のブロック体であり、板ばね５に固定されて外方に突出している。ストッパー６は、軸線方向Ｌにおいて、板ばね５の一端部５ａと他端部５ｂとの間に配置されている。このストッパー６は、電子機器ユニット２が係止された状態において、ストッパー受け穴７に挿入されて係合するものである。
【００２９】
また、ストッパー６の後方側には、後方に向かうにつれて板ばね５側へ傾斜する傾斜面６ａが形成されている。この傾斜面６ａは、電子機器ユニット２の挿入時に、固定レール４と当接して、板ばね５を内方へ案内させるものである。これにより、電子機器ユニット２の挿入時に、ストッパー６がストッパー受け穴７等に引っ掛かることが防止され、電子機器ユニット２を円滑に摺動させることができる。
【００３０】
ストッパー受け穴７は、固定レール４のプレート部４ａの板厚方向に開口された円形の穴であり、ストッパー６に対応する大きさとされている。このストッパー受け穴７は、外箱３の開口部３ａ近傍に配置されている。
【００３１】
次に、このように構成された電子機器装置１の動作に関し、電子機器ユニット２の外箱３への挿入、電子機器ユニット２の外箱３からの引き出しについて図面を参照して説明する。まず、電子機器ユニット２の外箱３への挿入について説明する。図６は、電子機器ユニット挿入中の係止手段を示すものであり、ストッパーがストッパー受け穴より正面側に配置された状態の断面図、図７は、電子機器ユニット挿入中の係止手段を示すものであり、ストッパーがストッパー受け穴近傍に配置された状態の断面図、図８は、ストッパーがストッパー受け穴より背面側に配置された状態の係止手段を示す断面図である。
【００３２】
電子機器ユニット２を外箱３に挿入する際には、図１に示すように、電子機器ユニット２を外箱３の開口部３ａの正面に配置し、スライドレール８を固定レール４に合わせて、電子機器ユニット２を外箱３に押し込む。図６に示すように、電子機器ユニット２が外箱３の内方（図示右側）へ移動すると、ストッパー６の傾斜面６ａが固定レール４の端部４ｃの傾斜面に当接し、板ばね５の他端部５ｂがスライドレール８側へ移動する。
【００３３】
図７に示すように、電子機器ユニット２が更に外箱３内へ移動すると、ストッパー６の傾斜面６ａがストッパー受け穴７の背面側（図示右側）の周縁部に当接し、板ばね５の他端部５ｂがスライドレール８側へ移動する。また、板ばね５の挿入ガイド５ｄが固定レール４の端部４ｃの傾斜面に当接すると、板ばね５の他端部５ｂがスライドレール８側へ更に移動する。これにより、電子機器ユニット２は、挿入時において、係止手段１０によって、係止されることなく、入り勝手で円滑に摺動する。
【００３４】
更に、電子機器ユニット２が外箱３内へ移動すると、図８に示すように、板ばね５の挿入ガイド５ｄが固定レール４のプレート部４ａと当接し、板ばね５の他端部５ｂがスライドレール８側へ移動し、プレート部８ａに接近した状態となる。板ばね５には、段差部５ｃが形成されているので、板ばね５を好適に撓ませることができる。
【００３５】
そして、電子機器ユニット２は、突き当たるまで押し込まれて、図４に示すように、スライドレール８の突出部８ｃが把持機構９に把持されてクリックストップする。図１１は、電子機器ユニット装着後の電子機器装置を示す斜視図である。この状態で、図１１に示すように、つまみ２ｃを矢印方向(反時計回り)に回動操作することで水平状態から垂直状態にし、係止爪をスリット３ｃに係止させて、電子機器ユニット２を外箱３に装着する。
【００３６】
次に、電子機器ユニット２の外箱３からの引き出しについて図面を参照して説明する。図９は、電子機器ユニット引き出し中の係止手段を示すものであり、ストッパーが係止された状態の係止手段を示す断面図、図１０は、電子機器ユニット引き出し中の係止手段を示すものであり、ストッパーの係止状態が解除された係止手段を示す断面図である。
【００３７】
電子機器ユニット２を外箱３から引き出す際には、図１１において、つまみ２ｃを時計回りに回動操作することで垂直状態から水平状態にし、係止爪を電子機器ユニット２内に没入させる。次に、把手２ｂを握って、電子機器ユニット２引き出す。
【００３８】
そして、電子機器ユニット２が所定の位置まで移動すると、図９に示すように、板ばね５の他端部５ｂ及び挿入ガイド５ｄが外箱３から外方に露出されて、板ばね５がスライドレール８から離間する方向に開いて、ストッパー６がストッパー受け穴７内に進入して係合される。係合完了は音で確認出来る。また、ブロック状のストッパー６がストッパー受け穴７の内周部に引っ掛かり、電子機器ユニット２の前方への移動が抑制される。この状態で、電子機器ユニット２の引き出し作業を継続しても、電子機器ユニット２の前方への移動は阻止される。
【００３９】
このとき電子機器ユニット２の重心Ｇは、図３及び図５に示すように、軸線方向Ｌにおいて、外箱３の正面側の端部より外方に配置された状態となる。この状態で、電子機器ユニット２を幅方向の両側から両手で掴むと、重心Ｇ近傍を持ち易くなると共に、人差し指ｆが板ばね５の他端部５ｂに係り易くなり他端部５ｂを操作し易くなる。そして、図１０に示すように、他端部５ｂを操作してスライドレール８に接近させて、ストッパー６をストッパー受け穴７から離間させる。このように、ワンタッチ操作することで、電子機器ユニット２の係止状態を解除することができる。この状態で、そのまま、電子機器ユニット２を前方へ引き出し、電子機器ユニット２を外箱３から取外すことができる。
【００４０】
このような本実施形態の電子機器装置１では、固定レール４及びスライドレール８を備え、電子機器ユニット２の摺動する方向が軸線方向Ｌに拘束されるため、摺動の安定化が図れると共に円滑に摺動させることができる。
【００４１】
また、電子機器装置１は、電子機器ユニット２を外箱３から引き出す際に、電子機器ユニット２を所定の位置で一時係止させる係止手段１０を備え、電子機器ユニット２を一時的に係止させて、所定の位置で電子機器ユニット２を持つことができるため、係止状態を解除して、そのまま電子機器ユニット２を引き出すことができる。
【００４２】
また、係止手段１０は、電子機器ユニット２の左右方向の外側に付勢する一対の板ばね５を備えているため、左右のバランス良く確実に電子機器ユニット２を係止することができる。従って、電子機器ユニット２に過剰な引き抜き力が作用した場合であっても、ストッパー６がストッパー受け穴７から外れ難くなる。これにより、電子機器ユニット２の落下防止が図られている。
【００４３】
また、係合状態を解除する場合には、板ばね５の他端部５ｂを外方から押圧するだけでよいので、従前のように、一度、電子機器ユニット２を後退させる必要がなく、電子機器ユニット２を引き出す際の作業性を向上させることができる。また、ワンタッチ操作することで、係止状態を解除でき、電子機器ユニット２を持ち直す必要がないため、電子機器ユニット２を引き出す際の作業性を一層向上させることができる。電子機器ユニット２が重い場合には、特に有効である。また、電子機器ユニット２の取替え作業が多い場合にも、作業者の負担が軽減される。
【００４４】
また、板ばねには、ブロック状のストッパー６が設けられているので、従前のようなＶ字部によって構成された凸部に比して強度が向上され、ストッパー６の変形が低減される。その結果、係止手段１０の耐久性を向上させることができる。また、係止手段１０では、ブロック状のストッパー６とストッパー受け穴７とが係合する構成のため、係合の強度が一層向上されている。
【００４５】
また、電子機器ユニット２の係止状態において、電子機器ユニット２の重心Ｇ付近を持ち易くなるため、電子機器ユニット２を引き出した後に、電子機器ユニット２を持ち直さなくてもよい。また、重心Ｇ付近を両手で容易に持つことができるので、電子機器ユニット２をバランス良く持つことができるので、電子機器ユニット２を落下させる虞が低減される。これにより、安全性及び信頼性を向上させることができる。
【００４６】
以上、本発明をその実施形態に基づき具体的に説明したが、本発明は、上記実施形態に限定されるものではない。上記実施形態において、電子機器装置１をハードディスクを備えた記憶装置としているが、例えばモジュール交換式の電子機器装置等、その他の電子機器装置でもよい。
【００４７】
また、上記実施形態では、案内手段及び被案内手段を案内レールとしているが、その他の突出形状や溝等を用いても良い。また、案内レールは、例えばＣ字型やＬ字型等、その他の形状でもよい。
【００４８】
また、上記実施形態では、ストッパー６及びストッパー受け穴７は、円形断面としているが、例えば、矩形、その他の多角形等、その他の形状でもよい。
【００４９】
また、上記実施形態では、スライドレール８を介して、板ばね５を電子機器ユニット２に固定しているが、電子機器ユニット２に直接固定しても良い。
【００５０】
また、板ばね５において、他端部５に軸線方向Ｌに連続する延長部分を形成し、この延長部分をスライドレール８に接近させる構成としてもよい。これにより、板ばね５とスライドレール８との間に、指等が進入することを防止することができる。その結果、板ばね５の不本意な塑性変形が防止され、係止手段１０の耐久性を一層向上させることができる。
【００５１】
また、上記実施形態では、「所定の位置」を、電子機器ユニット２の重心Ｇが、外箱３より前方に配置された位置としているが、電子機器ユニット２の重心Ｇが外箱３内に配置された位置としてもよい。
【図面の簡単な説明】
【００５２】
【図１】本発明の実施形態に係る電子機器装置を示すものであり、電子機器ユニット挿入前の状態を示す斜視図である。
【図２】図１中の電子機器ユニット及び係止手段を示す分解斜視図である。
【図３】図１中の電子機器ユニットを示す平面図である。
【図４】図１中の係止手段を示す右側面図である。
【図５】電子機器ユニットが所定の位置で係止された状態の電子機器装置を示す斜視図である。
【図６】電子機器ユニット挿入中の係止手段を示すものであり、ストッパーがストッパー受け穴より正面側に配置された状態の断面図である。
【図７】電子機器ユニット挿入中の係止手段を示すものであり、ストッパーがストッパー受け穴近傍に配置された状態の断面図である。
【図８】ストッパーがストッパー受け穴より背面側に配置された状態の係止手段を示す断面図である。
【図９】電子機器ユニット引き出し中の係止手段を示すものであり、ストッパーが係止された状態の係止手段を示す断面図である。
【図１０】電子機器ユニット引き出し中の係止手段を示すものであり、ストッパーの係止状態が解除された係止手段を示す断面図である。
【図１１】電子機器ユニット装着後の電子機器装置を示す斜視図である。
【符号の説明】
【００５３】
１…電子機器装置、２…電子機器ユニット、２ｄ…側壁（外壁）、３…外箱（収容体）、３ｂ…側壁（内壁）４…固定レール（案内手段、第１の案内レール）、５…板ばね、５ａ…一端部、５ｂ…他端部、５ｃ…段差部、６…ストッパー（ブロック状の凸部）、６ａ…傾斜面、７…ストッパー受け穴（凹部、係合穴）、８…スライドレール（被案内手段、第２の案内レール）、１０…係止手段、Ｌ…軸線方向。
【図１】
2008124074.tif 000003
【図２】
2008124074.tif 000004
【図３】
2008124074.tif 000005
【図４】
2008124074.tif 000006
【図５】
2008124074.tif 000007
【図６】
2008124074.tif 000008
【図７】
2008124074.tif 000009
【図８】
2008124074.tif 000010
【図９】
2008124074.tif 000011
【図１０】
2008124074.tif 000012
【図１１】
2008124074.tif 000013